(57)【特許請求の範囲】
【請求項１】
１つ又は複数の層（３，４，５）からなるベースシート（２）を備える外科用のドレープ又はタオルであって、前記ベースシート（２）の縁部領域が、その縁部領域に凹所（６）を有しており、前記凹所が薄プラスチックフィルムのストリップ（７）によって被覆されており、薄プラスチックフィルムの前記ストリップがそのストリップの一方側に前記外科用のドレープ又はタオルを肌に付着させるための粘着剤の層（８）を有していることを特徴とする外科用のドレープ又はタオル。
【請求項２】
薄プラスチックフィルムの前記ストリップ（７）の単位面積当たりの重量が、１０−６０ｇ／ｍ２である、請求項１に記載の外科用のドレープ又はタオル。
【請求項３】
薄プラスチックフィルムの前記ストリップ（７）の単位面積当たりの重量が、１０−５０ｇ／ｍ２である、請求項２に記載の外科用のドレープ又はタオル。
【請求項４】
薄プラスチックフィルムの前記ストリップ（７）の単位面積当たりの重量が、２０−３０ｇ／ｍ２である、請求項３に記載の外科用のドレープ又はタオル。
【請求項５】
薄プラスチックフィルムの前記ストリップ（７）の単位面積当たりの重量が、２５ｇ／ｍ２である、請求項４に記載の外科用のドレープ又はタオル。
【請求項６】
前記凹所は、奥行きが０．５−２０ｃｍであり、且つ、幅が３−１２０ｃｍである、請求項２〜５のいずれか一項に記載の外科用のドレープ又はタオル。
【請求項７】
前記凹所は、奥行きが１−１０ｃｍであり、及び、幅が５−９０ｃｍである、請求項６に記載の外科用のドレープ又はタオル。
【請求項８】
前記凹所を被覆する薄プラスチックフィルムの前記ストリップ（７）の一方側の粘着層（８）がアクリル系粘着剤またはシリコーンジェル粘着剤で構成される、請求項６又は７に記載の外科用のドレープ又はタオル。
【請求項９】
前記ベースシート（２）が前記凹所（６）の両側の縁部領域において粘着剤で被覆されている、請求項１から８のいずれか一項に記載の外科用のドレープ又はタオル。
【請求項１０】
前記凹所（６）を被覆する薄プラスチックフィルムの前記ストリップ（７）がポリエチレン製である、請求項１から９のいずれか一項に記載の外科用のドレープ又はタオル。
【請求項１１】
前記凹所（６）を有する前記縁部領域に沿った各粘着層（８）が、前記外科用のドレープ又はタオルの施用前に除去される剥離層（９）によって保護されている、請求項１から１０のいずれか一項に記載の外科用のドレープ又はタオル。
【請求項１２】
前記凹所（６）を被覆する薄プラスチックフィルムの前記ストリップ（７）の前記粘着層（８）を保護する前記剥離層（９）が１つ又は複数の片で構成される、請求項１１に記載の外科用のドレープ又はタオル。
【発明の詳細な説明】
【技術分野】
【０００１】
本発明は、１つ又は複数の層からなるベースシートを備える外科用のドレープ又はタオルに関する。
【背景技術】
【０００２】
患者の身体の上の、外科的処置を行おうとする手術箇所の周囲における１つ又は複数の外科用のドレープ又はタオルのドレーピングを可能にするために、外科用のドレープ又はタオルが、粘着縁部を、すなわち、縁部の全体又は一部に沿った粘着コーティングを有することがよくある。このような粘着縁部の機能は、液体が手術箇所から外科用のドレープ又はタオルの下に流れたり、手術箇所の外からの細菌が外科用のドレープ又はタオルの下のエリアから手術箇所へ入ったりするのを防止するバリアを形成することである。市販されている外科用のドレープ又はタオルの粘着縁部では手術箇所の周囲の体輪郭をなぞることができないので、そのようなバリアによって肥満患者の手術箇所に対して、或いは、例えば患者の耳や鼻、首、胸等のような患者の曲線部分における手術箇所の表面で確実に漏れないようにするのは難しい。この問題を解決するため、引用文献１は外科用ドレープを開示しており、その外科用ドレープでは、ドレープの粘着縁部が、前記ドレープの他の部分から外へ突出した薄プラスチックフィルムで構成され、粘着縁部が、一方側が粘着剤でコーティングされて、反対側にドレープの施用後に除去されることになる補剛ストリップを有する。補剛ストリップは、ドレープの施用前に粘着コーティングを保護する剥離層を除去した後にドレープを取り扱って施用できるようにするために必要である。しかしながら、このようなドレープの施用は複雑であって多くのステップを含み、フィルムの部分が互いに貼り付き、それにより、漏洩のリスクを増大させる皺が形成されることも珍しくはない。さらに、製造の観点からも、そのようなフィルムをベースドレープの縁部に沿って貼り付けるのも煩雑である。
【先行技術文献】
【特許文献】
【０００３】
【特許文献１】国際公開第２００８／０５４３１２号
【発明の概要】
【発明が解決しようとする課題】
【０００４】
本発明の目的は、少なくとも手術箇所のエリアにおいて施用するのが容易であってかなりの可撓性及び伸縮性がある粘着縁部を有すると共に比較的に容易に製造される外科用のドレープ又はタオルを提供することである。
【課題を解決するための手段】
【０００５】
この目的は、１つ又は複数の層からなるベースシートを備える外科用のドレープ又はタオルであって、前記ベースシートの縁部領域が、その縁部領域に凹所を有しており、凹所が薄プラスチックフィルムのストリップによって被覆されており、薄プラスチックフィルムのストリップが、そのストリップの一方側に外科用のドレープ又はタオルを肌に付着させるための粘着剤の層を有していることを特徴とする外科用のドレープ又はタオルによって達成される。凹所の両側の外科用のドレープ又はタオルの縁部領域は、薄プラスチックフィルムのストリップ上の剥離層の除去後においても薄プラスチックフィルムのストリップを含む縁部領域を手術箇所の境界に沿って容易に貼付けることを可能にする把手部として機能する。薄プラスチックフィルムは、かなりの可撓性を有しており、患者の身体のいかなる曲線状の輪郭も患者の肌の凹凸もなぞることができる。さらに、薄プラスチックフィルムは、伸縮性があり、曲線状の輪郭および肌の凹凸への貼付けを容易にし、しかも、貼り付けられた粘着縁部が、外科用のドレープ又はタオルの施用後に引き起こされる肌のいかなる伸長にも追従するのを可能にする。
【０００６】
好適な実施形態では、プラスチックフィルムの単位面積当たりの重量は１０−６０ｇ／ｍ２であり、好ましくは１０−５０ｇ／ｍ２であり、さらに好ましくは２０−３０ｇ／ｍ２であり、最も好ましくは２５ｇ／ｍ２である。
【０００７】
前記凹所は、奥行きが０．５−２０ｃｍ、好ましくは１−１０ｃｍであり、且つ、幅が３−１２０ｃｍ、好ましくは５−９０ｃｍである。
【０００８】
前記凹所を被覆する薄プラスチックフィルムのストリップの一方側の粘着層は、アクリル系粘着剤またはシリコーンジェル粘着剤で構成され得る。
【０００９】
前記ベースシートは、前記凹所の両側の縁部領域において粘着剤で被覆されていることが好ましい。これらの粘着コーティングは、凹所を被覆する薄プラスチックフィルムのストリップのコーティングと同じ粘着剤や他の粘着剤を含むことができる。
【００１０】
前記凹所を被覆する薄プラスチックフィルムのストリップは、ポリエチレン製であることが好ましい。
【００１１】
前記凹所を有する縁部に沿った各粘着層は、外科用のドレープ又はタオルの施用前に除去される剥離層によって保護されている。前記凹所を被覆する薄プラスチックフィルムのストリップの粘着層を保護する剥離層は、１つ又は複数の片で構成され得る。
【図面の簡単な説明】
【００１２】
以下、添付図面を参照しながら本発明が説明される。
【００１３】
【図１】図１は、本発明の好適な実施形態に係る外科用ドレープを模式的に開示している。
【図２】図２は、図１のII−II線に沿った断面図を開示している。
【発明を実施するための形態】
【００１４】
図１及び２において、粘着縁部を有する外科用ドレープ１の好適な実施形態が模式的に示されている。
外科用ドレープ１は、互いに積層された３つの層からなるベースシート２を備えている。上層３は、例えば不織布のような吸収性材料で構成されており、手術箇所からの血液や他の液体が術者に接触したりドレープから流れ出たりするのを防止するために、この流体を吸収する機能がある。上層は、ドレープの使用時において患者の身体から遠い位置にある。中間層４は、例えばポリエチレン等のプラスチックフィルムのような、液体不透過性材料で構成されており、手術箇所からの液体が手術箇所の外側で患者の身体に接触するのを防止するためのバリアとして機能する。下層５は、使用時に患者の肌に近い位置にあり、柔らかく心地よい接触面を提供するための快適性層として機能し、不織布、詰め綿、又はその他の肌にやさしい柔らかい材料で構成され得る。ただし、３層のドレープ材料が好ましいが、例えば織物材料からなる１層のドレープ等のような１つ又は複数の層を有する他のドレープ材料を本発明において使用することもできる。
【００１５】
凹所６は、ベースシート２の縁部領域を切り欠いており、凹所のエリアを被覆する薄プラスチックフィルムのストリップ７は、ベースシート２に付着されている。ストリップ７の下方側は、肌に優しい粘着剤の層８で被覆されており、同様に粘着剤の層８は、外科用ドレープ１の施用前に除去されることになる剥離層９によって被覆されている。
【００１６】
凹所６の両側及びその近位のベースシート２の縁部領域は、外科用ドレープ１の施用中に、人が薄プラスチックフィルムのストリップ７を掴んで外科用ドレープを施用することを可能にする一種の把手部として機能し、前記薄プラスチックフィルムのストリップは、このストリップの患者の皮膚の上への貼付け中に引っ張られる。この引張りは、ベースシート２において起こり得る皺が前記ボトムエッジ（bottom edge）まで及んで、それによってストリップ７にも及ぶのを防止するために必要である。仮にストリップ７に皺が生じると、外科用ドレープ７の施用後にもそのような皺が残って、それにより、患者の肌への貼り付け時にストリップ７によって提供されるバリアが弱まるおそれがある。「引っ張られたストリップを掴む」ことは、用いられる力がストリップ７に弛みが確実に生じないようにするのに十分な大きさであることを意味しているが、伸縮性のあるストリップ７の部分の伸長が全く生じないか、或いは少なくとも大幅な伸長が生じない程度に大きくはない。
【００１７】
ストリップ７が貼り付けられるだろう手術箇所の境界が複雑な形状である場合、ストリップ７の貼付けを段階的に行うことが好ましい。まず、ストリップ７の端部分、すなわち、凹所６の短辺の１つの近くに位置する部分が、患者の肌に貼り付けると共に、ストリップの引張りを保持したまま片手でそこを押すことによってそこに固定される。その後、ストリップ７の固定された端部分の近くに位置するベースシート２の縁部領域の把持が解除され、そのときにもたらされる自由な手が、患者の身体の輪郭に密接してたどらされ、同時に患者の肌にストリップ７を押し付ける。同時に、ストリップの引張りは、他方の手によって保持される。このようなストリップの貼付け方法は、ストリップの貼付けの初期段階において粘着縁部の可撓性が補剛層の可撓性に依存する上記特許文献１で知られたドレープのようにその上側に剥離可能な補剛層を有するストリップにおいて行われるのがかなり難しいストリップの伸長を行うことなく、ストリップを貼付けることができるという利点がある。既知の粘着縁部を手術箇所の境界に沿って貼付けた後に補剛層を除去した後、プラスチックフィルムの伸縮性は、フィルムを局所的に押し付けて手術箇所の境界に沿って肌に密接させることを可能にする。このような境界が複雑な形状である場合には、その全長に沿った粘着縁部が患者の身体の輪郭を緊密になぞることを確保するために、補剛層を除去した後に粘着縁部を手術箇所の境界に対して再び押し付ける必要がある。
【００１８】
外科用ドレープ１の施用が、上述した以外の方法で行われることも可能である。当該ドレープは、折り畳んで保管され、そのため、手術箇所の境界の適切な位置で折り目におけるストリップ７のエリアをまず固定してそれから引き続き、ドレープの同時展開中に折り目の一方側又は両側にストリップを固定することによって施用される。
【００１９】
いくつかの種類の手術の間、肌が大幅に伸長され、そして、肌を刺激したり損傷したりしないようにするために、或いは、粘着縁部が肌から離れるのを防止するために、粘着縁部が肌と共に伸長されることが重要である。主に、図１及び２に記載された外科用ドレープ１におけるストリップ７の伸縮性のすべてをその施用後に維持することができるので、説明された外科用ドレープは、そのような手術を受ける患者のドレーピングの用途にかなり適している。
【００２０】
ベースシート２は、例えば、メンリッケ・ヘルス・ケア・アーベー（スウェーデン、イエーテボリ）から市販されている、凹所６が切り欠かれた「Barrier」（登録商標）などのような、市販されているドレープであることが好ましい。
【００２１】
プラスチックフィルムのストリップ７は、好ましくは単位面積当たりの重量が１０−６０ｇ／ｍ２であり、好ましくは、１０−５０ｇ／ｍ２であり、さらに好ましくは２０−３０ｇ／ｍ２であり、最も好ましくは２５ｇ／ｍ２であり、且つ、好ましくはポリエチレン製である。ただし、例えばポリウレタン等の他のプラスチック材料を使用することも可能である。図１及び２に示された実施形態において、手術箇所からの液体が快適性層５を通ってシート２の下に入ることができないことを確保するために、ストリップ７は、ベースシート２の中間層４に付着されている。ストリップ７は、例えば接着剤や溶着継目などの何らかの適切な方法で中間層４に付着されている。
【００２２】
粘着層８は、好ましくは、軟質のアクリル系粘着剤やシリコーンジェル粘着剤などから成る。当該粘着層は、伸縮性があり、ストリップ７で起こり得る伸長に追従することができる。さらに、当該粘着層は、肌へ損傷を与えることなく、且つ、患者に痛みを与えることなく、肌から除去することができる。しかしながら、本発明において、外科用ドレープの粘着縁部に使用される他の粘着剤を用いることも可能である。
【００２３】
凹所６の長さ、すなわち、凹所の短辺間の間隔は、３−１２０ｃｍに、好ましくは５−９０ｃｍにすべきであり、且つ、凹所の奥行き、すなわち、ドレープ１の縁部に一致するストリップ７の縁部と凹所６のボトムエッジとの間の間隔は、０．５−２０ｃｍに、好ましくは１−１０ｃｍにすべきである。
【００２４】
凹所６の両側における外科用ドレープ１の縁部領域に、粘着コーティング（図示しない）を設けることも可能である。このようなコーティングは好ましくはドレープの中間層に付着されているが、これは、これらの領域が手術箇所の境界に沿って貼付けられないので必須ではない。当該粘着コーティングの機能は、ドレープが受ける荷重の一部に対処することである。この点において、凹所の長さと凹所の両側の縁部領域の長さの合計との関係は、図示された関係と異ならせることも可能であり、それにより、これらの縁部領域が、ドレープへの荷重のかなりの部分に対処することができる。これらの領域に被覆された粘着剤は、ストリップ７に被覆された粘着剤と異ならせることも可能である。
【００２５】
剥離層は、粘着剤層から除去するのが容易であると共に、粘着剤の特性を低下させることなく除去することができるようにすべきである。したがって、剥離層は、使用される粘着剤に応じて選択される。一般的に使用される剥離層は、シリコーン塗工紙やプラスチックフィルムで構成されるが、そのような材料は、ポリエチレンのようなプラスチック材料に使用され得るシリコーンジェル粘着剤に使用することはできない。
【００２６】
剥離層は、剥離材料の１つ又は複数の片で構成されることができる。ストリップ７が長い場合、剥離層９は、数個の片で構成されることが好ましく、それにより、ストリップ７全体が手術箇所の境界に沿って貼り付けられるまで、剥離材料の第１の片を除去し、剥離材料の第１の片が除去されたストリップの部分を患者の肌に貼り付け、剥離材料の第２の片を除去し、剥離材料の第２の片が除去されたストリップ７の部分を患者の肌に貼り付けていくことで、ストリップ７の連続的な貼付けが可能になる。
【００２７】
説明された実施形態は、言うまでもなく、本発明の範囲から逸脱することなく変更することが可能であり、例えば図示された以外の他の種類の外科用のドレープ又はタオルに適用される。例えば、外科用ドレープの粘着縁部は、外科用ドレープにおけるスリットの縁部であってもよい。薄プラスチックフィルムのストリップは、ドレープの液体不透過層の下側の代わりに、ドレープの液体不透過層の上側に付着されてもよい。薄プラスチックフィルムのストリップは、透明であることが好ましいが、半透明又は不透明のフィルムを使用することも可能である。したがって、保護範囲は、添付された特許請求の範囲の内容によってだけ制限されるべきである。
【符号の説明】
【００２８】
１  ・・・外科用ドレープ
２  ・・・ベースシート
３  ・・・上層
４  ・・・中間層
５  ・・・下層
６  ・・・凹所
７  ・・・ストリップ
８  ・・・粘着剤の層（粘着層）
９  ・・・剥離層
【図１】
0005937590.tif 000002
【図２】
0005937590.tif 000003